(57)【特許請求の範囲】
【請求項１】
被写体による貨幣の投入によりプレイ開始信号を発信する貨幣処理手段と、
撮像空間の被写体を撮像して撮像画像を作成する撮像手段と、
編集対象の画像に対して編集入力を許容する編集手段と、
所定の画像を出力する出力手段と、
前記撮像空間の出入口に該撮像空間と外界とを仕切る該出入口を開閉可能な仕切手段と、
前記仕切手段の開動作及び閉動作を行う仕切開閉手段と、
前記貨幣処理手段、前記撮像手段、前記編集手段、前記出力手段及び前記仕切開閉手段を制御する制御手段とを備えた写真シール自動販売装置を用いて行う写真シール自動販売方法であって、
前記制御手段は、
撮像空間の被写体を前記撮像手段で撮像して撮像画像を作成する撮像処理を許容し、
前記撮像画像を編集対象の画像として前記編集手段による編集入力により編集画像を作成する編集処理を許容し、
前記編集画像を前記出力手段で出力する出力処理を行わせると共に、
前記仕切開閉手段に対し、
前記貨幣処理手段からプレイ開始信号を受信したプレイ開始時又は撮像処理の開始時に閉動作を行わせ、且つ、前記撮像処理、前記編集処理又は前記出力処理の終了時に開動作を行わせることを特徴とする
写真シール自動販売方法。
【請求項２】
前記写真シール自動販売装置は検知手段をさらに備え、
前記検知手段で、前記仕切手段の開状態又は／及び閉状態を検知する
請求項１記載の写真シール自動販売方法。
【請求項３】
前記写真シール自動販売装置は報知手段をさらに備え、
前記検知手段で検知した前記仕切手段の状態を報知手段で報知する
請求項２記載の写真シール自動販売方法。
【請求項４】
被写体による貨幣の投入によりプレイ開始信号を発信する貨幣処理手段と、
撮像空間の被写体を撮像して撮像画像を作成し、撮像処理を行う撮像手段と、
前記撮像画像を編集対象の画像として編集入力により編集画像を作成する編集処理を許容する編集手段と、
前記編集画像を出力して出力処理を行う出力手段と、
該貨幣処理手段、該撮像手段、該編集手段及び該出力手段を制御する制御手段とを備えた写真シール自動販売装置であって、
前記撮像空間の出入口に該撮像空間と外界とを仕切る該出入口を開閉可能な仕切手段と、
前記仕切手段の開動作及び閉動作を行う仕切開閉手段とをさらに備え、
前記制御手段は、前記仕切開閉手段に対し、前記貨幣処理手段からプレイ開始信号を受信したプレイ開始時又は撮像処理の開始時に閉動作を行わせ、且つ、前記撮像処理、前記編集処理又は前記出力処理の終了時に開動作を行わせる機能を有することを特徴とする
写真シール自動販売装置。
【請求項５】
前記仕切手段の開状態又は／及び閉状態を検知する検知手段を備えた
請求項４記載の写真シール自動販売装置。
【請求項６】
前記検知手段で検知した前記仕切手段の状態を報知する報知手段を備えた
請求項５記載の写真シール自動販売装置。
【発明の詳細な説明】
【０００１】
【発明の属する技術分野】
この発明は、例えばゲームセンター等の施設において、デジタルカメラで被写体を撮像し、該撮像による撮像画像に対してタッチパネルで落書き編集し、該編集による編集画像をシール紙ユニットの写真シールシートに印刷するような写真シール自動販売方法とその装置に関する。
【０００２】
【従来の技術】
従来、写真シール自動販売機として、撮像空間の被写体（顧客）をストロボ照明装置で照明し、該照明光を得てデジタルカメラで撮像するような写真シール自動販売機が存在している。
【０００３】
このような写真シール自動販売機では、利用者が他人の視線を気にせず自由なポーズで撮像を行えるように、撮像空間への出入口にカーテンを備えて撮像空間内が簡易スタジオになるように構成している。
【０００４】
前記カーテンは、出入口の一部（例えば下部）を開放するよう小さめに形成するなど撮像空間を密閉しないことで、安全確保（セキュリティ）のため外部から撮像空間内の様子を確認できるように構成している。
【０００５】
【発明が解決しようとする課題】
しかし、前述のように出入口の一部を開放して開放部を設けると、例えばデジタルカメラの撮像方向を極端に変更したような場合に、前記開放部から外界が写る結果となるため、照明方法が限定されることになっていた。
その上、前記開放部から照明光が外部に洩れることとなり、照明効果が低減し、顧客満足度の低下に繋がっていた。
【０００６】
また、カーテンで撮像空間を外界から隙間無く完全に仕切ってしまうことは、撮像空間内での悪戯等を招く結果となるため、写真シール自動販売機を設置するゲームセンター等の施設経営者の安全確保に対する要請からも困難であった。
【０００７】
この発明は、照明方法の自由度と照明効果を向上すると共に、撮像空間内の安全を確保する写真シール自動販売機を提案し、照明の自由度や照明効果に対する顧客の要求と、該要求に相反する安全確保に対する施設経営者の要求との双方を満足させることを目的とする。
【０００８】
【課題を解決するための手段】
この発明は、被写体による貨幣の投入によりプレイ開始信号を発信する貨幣処理手段と、撮像空間の被写体を撮像して撮像画像を作成する撮像手段と、編集対象の画像に対して編集入力を許容する編集手段と、所定の画像を出力する出力手段と、前記撮像空間の出入口に該撮像空間と外界とを仕切る該出入口を開閉可能な仕切手段と、前記仕切手段の開動作及び閉動作を行う仕切開閉手段と、前記貨幣処理手段、前記撮像手段、前記編集手段、前記出力手段及び前記仕切開閉手段を制御する制御手段とを備えた写真シール自動販売装置を用いて行う写真シール自動販売方法であって、前記制御手段は、撮像空間の被写体を前記撮像手段で撮像して撮像画像を作成する撮像処理を許容し、前記撮像画像を編集対象の画像として前記編集手段による編集入力により編集画像を作成する編集処理を許容し、前記編集画像を前記出力手段で出力する出力処理を行わせると共に、前記仕切開閉手段に対し、前記貨幣処理手段からプレイ開始信号を受信したプレイ開始時又は撮像処理の開始時に閉動作を行わせ、且つ、前記撮像処理、前記編集処理又は前記出力処理の終了時に開動作を行わせることを特徴とする写真シール自動販売方法、及びこれに用いる写真シール自動販売装置であることを特徴とする。
【０００９】
前記撮像手段は、デジタルカメラ、又はデジタルビデオカメラで構成することを含む。
【００１０】
前記出力手段は、画像を印刷する印刷手段、画像データを送信する通信手段、又は画像データを記憶媒体に書き込む記憶媒体リーダ／ライタで構成することを含む。
【００１１】
前記撮像空間は、前記撮像手段による撮像の際に被写体が存在すべき空間で構成することを含む。
前記外界は、前記撮像空間の外側、すなわち、前記撮像空間以外の空間で構成することを含む。
【００１２】
前記仕切手段は、カーテン等の幕体、プラスチック等の樹脂材や木材等の部材による板状体で構成することを含み、伸縮可能又は伸縮不可能に形成することを含む。また該仕切手段は、内面（撮像空間側の面）を白色や銀色等のレフ面に形成して光を反射する光反射手段、又は／及び、外界を写さないようにして内面で被写体の周景（前景又は／及び背景）を演出する周景演出手段とすることを含む。
【００１３】
前記仕切開閉手段は、ゴム又はバネ等の弾性体を利用して開動作又は／及び閉動作を実行制御する制御装置、モータ駆動により開動作又は／及び閉動作を実行制御する制御装置、アコーディオンカーテン等の伸縮部材で構成した前記仕切手段の伸縮を利用して開動作又は／及び閉動作を実行制御する制御装置であることを含む。
【００１４】
なお、前記撮像処理で撮像を実行する際には、ストロボ発光するストロボ照明装置、蛍光灯照明装置、及び／又は白熱灯照明装置等の照明手段で被写体を照明しても良い。
【００１５】
好ましい実施の形態として、検知手段で、前記仕切手段の開状態又は／及び閉状態を検知することができる。
前記検知手段は、光を利用し物体の有無や状態の変化を非接触で検出する光電センサ（透過形、回帰反射形、反射形）、磁界や電界の変化を利用し物体を非接触で検出する近接センサ、赤外領域の光を受光し受けた光を電気信号に変換し必要な情報を取り出して応用する赤外線センサ（熱型赤外線センサ、量子型赤外線センサ）等のセンサで構成することを含む。
【００１６】
前記開状態又は／及び閉状態の検知は、開状態又は／及び閉状態であることの検知、開状態又は／及び閉状態となったことの検知であることを含む。
前記構成により、仕切手段が開状態であるか閉状態であるかを検知する、正常に開状態又は／及び閉状態となったか検知するといったことが可能になる。
【００１７】
また好ましい実施の形態として、前記検知手段で検知した前記仕切手段の状態を報知手段で報知することができる。
前記報知手段は、ブザー音又は音声を発音する発音手段（発音装置）、ランプ等の照明装置を点灯する点灯手段（点灯装置）、文字等の情報を表示する表示手段（表示装置）で構成することを含む。
【００１８】
前記構成により、例えば開動作を実行したが仕切手段が開状態となっていないと検知手段で検知したときに報知し、顧客（利用者）や店員に知らせるといったことが可能になる。
【００１９】
【発明の効果】
この発明により、撮像及び照明に対する顧客満足度を向上すると共に、顧客（利用者）は撮像時の私的空間（プライベート空間）を確保することができて周囲の目を意識せず自由なポーズで撮像を行うことができ、施設経営者は撮像空間内の安全を十分確保することができる。
【００２０】
【発明の実施の形態】
この発明の一実施形態を以下図面と共に説明する。
まず、図１に示す写真シール自動販売機１の斜視図、図２に示す写真シール自動販売機１の平面図（天井部省略）、図３に示す部分拡大斜視図（一部断面図）、図４に示す遮光カーテン開閉装置説明図と共に、写真シール自動販売機１の構成について説明する。
【００２１】
写真シール自動販売機１は、図１及び図２に示すように、ストロボ発光する照明装置１２、デジタルカメラ１３、タッチモニタで形成する入力装置１４及びモニタ１５、貨幣投入口１６ａを右側面に備えた筐体２を左側に備える。
【００２２】
写真シール自動販売機１の正面及び背面には、カーテンレール２０ａに開閉可能に吊下げた遮光カーテン２０を備えており、利用者が前記遮光カーテン２０を開いて撮像空間３に出入することを可能にしている。
【００２３】
なお、該撮像空間３の天井部は白色の天井面で囲繞し、床面は、写真シール自動販売機１の接地面よりも少し高いステージ３ａで形成する。これにより、前記遮光カーテン２０の下端と前記ステージ３ａとの間に隙間が発生しないようにして、前記遮光カーテン２０が閉状態のときに撮像空間３内から外界（外部）が完全に見えないようにしている。
【００２４】
前記遮光カーテン２０の内側面は、光を反射する白色のレフ面２０ｅで形成し、閉状態で撮像環境を良好にするようにしている。また、前記遮光カーテン２０は通常開状態となっており、閉状態にするときは、後述するように前記遮光カーテン２０の左上部を遮光カーテン開閉装置１９で保持する。
【００２５】
前記筐体２の正面側には、シール排出口１７ａを備え、その内部にプリンタ１７を備える。
以上の構成により、照明装置１２で被写体を照明してデジタルカメラ１３で撮像し、その撮像画像に対して入力装置１４及びモニタ１５で落書き編集した編集画像を作成し、該編集画像（又は／及び前記撮像画像）をプリンタ１７で印刷することができる。
【００２６】
ここで、前記プリンタ１７は、図３に示すように筐体２の下部正面側に備えたパーソナルコンピュータで構成する制御装置１０の上側に備える。
該プリンタ１７には、シール紙ユニット３１をセットしており、該シール紙ユニット３１はロール状に巻いたシール紙３１ａと正規品か否かを識別させる識別データ等のデータを記憶させたＩＤタグ３１ｂで構成する。これにより、シール紙３１ａに撮像画像や編集画像等の印刷を施した写真シールシート３１ｃを作成可能にしている。
【００２７】
なお、該写真シールシート３１ｃは、写真シール３１ｄ（後述）の印刷画像を複数配置して印刷することで形成しており、利用者は写真シールシート３１ｃをハサミ等で切断することで、１枚単位の写真シール３１ｄを得ることができる。
【００２８】
前記プリンタ１７の背部には、前記ＩＤタグ３１ａに記憶の前記データを読取るＩＤタグリーダ／ライタ１８を備え付ける。これにより、前記ＩＤタグ３１ｂに記憶のデータの読書きを行い、正規品のシール紙ユニット３１であるかのチェック等を行う。
【００２９】
以上に説明したプリンタ１７により、前述の編集画像をシール紙３１ａに印刷し、作成した写真シールシート３１ｃをシール排出口１７ａから排出することができる。
【００３０】
また、前述した遮光カーテン開閉装置１９は、図４の（Ａ）の平面図に示すように、底面視コの字型のフック受部１９ｆに備えたバネ１９ａ、鉄芯１９ｂ、コイル１９ｃ、投光ＬＥＤ１９ｄ、及び受光センサ１９ｅで構成する。
【００３１】
前記鉄芯１９ｂは、正面視リング型のコイル１９ｃに対し、前後動可能に挿入して備えてバネ１９ａで背面方向へ付勢し、ソレノイドを構成している。
【００３２】
前記コイル１９ｃに電流が流れてソレノイドがＯＮとなると、（Ｂ）に示すように鉄芯１９ｂは正面方向へ移動する。この状態で、利用者によって遮光カーテン２０が閉じられると、（Ｃ）に示すように該遮光カーテン２０のフック２０ｂがフック受部１９ｆに挿入され、前記フック２０ｂの先端の抜止め突起２０ｃが前記鉄芯１９ｂによって係止される。
【００３３】
このとき、受光センサ１９ｅに対して常時光を投射している投光ＬＥＤ１９ｄの投射光は、前記フック２０ｂによって遮断される。これにより、前記受光センサ１９ｅは、閉状態であることを示す閉信号を前記制御装置１０に送信する。
【００３４】
ソレノイドをＯＦＦ（電源断）にすると、（Ｄ）に示すように鉄芯１９ｂは前記バネ１９ａによって背面方向に移動し平常位置に戻る。前記遮光カーテン２０はゴム２０ｄで右方向に常時引っ張られているため、前記鉄芯１９ｂによる係止から開放されて右方向へ収縮移動し、出入口を開放した状態となる。
【００３５】
以上に説明した遮光カーテン開閉装置１９により、遮光カーテン２０が閉状態である期間（時間）を制御することができ、写真シールシート３１ｃの仕上がりに対して遮光カーテン２０の影響が大きく現れる撮像処理時のみ閉状態とすることができる。
【００３６】
なお、遮光カーテン開閉装置１９の鉄芯１９ｂの先端形状を台形にし、抜止め突起２０の形状を三角形にしたことで、緊急時に人の手でカーテンを開けることができ、安全性を確保している。
また、停電時にも自然にカーテンが開くように、通電時以外は遮光カーテン２０のフック２０ｂを前記鉄芯１９ｂで係止できないソレノイドで設計をしている。
【００３７】
次に、図５に示す写真シール自動販売機１の回路ブロック図と共に、写真シール自動販売機１の構造について説明する。
写真シール自動販売機１は、ＣＰＵ，ＲＯＭ，ＲＡＭを備えて各装置の制御動作を実行する制御装置１０と、該制御装置１０に接続した以下に説明する各装置を備えている。なお、前記制御装置１０は、前述したソレノイドのＯＮ／ＯＦＦを制御する開閉指示信号の送信も実行する。
【００３８】
スピーカ１１は、制御装置１０から受取る音声信号に従って、利用者に対して撮像時のカウントダウンや編集するための移動等のアナウンスを行う。また、遮光カーテン２０が閉状態でなければいけないときに開状態であるときは、制御装置１０の音声信号に従って警報を鳴らす。
【００３９】
照明装置１２は、制御装置１０からの照明制御信号に従って撮像時にストロボ発光を実行する。なお、該照明装置１２は、白熱灯又は／及び蛍光灯に代えても良いし、これらを併用しても良い。
【００４０】
デジタルカメラ１３は、前記制御装置１０より受取るシャッタ信号で撮像を実行し、撮像前のポーズ確認中の撮像動画データや、撮像した撮像静止画データといった画像データを、制御装置１０に送信する。また、ズームの倍率を変更することで、全身撮像とアップ撮像を切替えて撮像することができるように構成している。
【００４１】
入力装置１４は、モニタ１５に重ねて設けたタッチパネル（タッチモニタ）と該タッチパネルにペンタッチ入力するタッチペンとで構成し、利用者によってタッチペンでタッチされた座標を、入力信号として制御装置１０に送信する。これにより、全身撮像とアップ撮像の切り替え、シャッタのカウントダウン開始、撮像画像に対しての落書き編集等、利用者の操作を許容する。
【００４２】
モニタ１５は、前記制御装置１０よりＲＧＢ信号を受信し、該信号に従って撮像画像や編集画像等の画像を表示する。
貨幣処理装置１６は、前述の貨幣投入口１６ａの内部に設け、投入された硬貨（又は紙幣）の真偽判別、金種判別を行い、投入硬貨の枚数を枚数情報として前記制御装置１０に送信する。なお、この硬貨投入は、プレイ（販売処理）の開始信号にもなる。
【００４３】
プリンタ１７は、前記制御装置１０よりプリント画像データを受信し、受信したプリント画像をシール紙ユニット３１（図３）のシール紙３１ａに印刷し、作成した写真シールシート３１ｃを排出する。
【００４４】
ＩＤタグリーダ／ライタ１８は、シール紙ユニット３１に備えたＩＤタグ３１ｂに記憶されているデータを読出信号で読取り、更新信号で前記データの更新を実行する。これによって、シール紙ユニット３１が正規のものであるか否かを判定し、必要に応じて印刷回数であるカウント数を上書きする等の更新処理を実行する。
【００４５】
遮光カーテン開閉装置１９は、制御装置１０から受信する開閉指示信号に従ってソレノイドのＯＮ／ＯＦＦ制御を実行し、前述した受光センサ１９ｅが閉状態を検知したときは閉信号を制御装置１０に送信する。
以上の構造により、遮光カーテン２０の開閉を制御すると共に、各装置を制御して撮像処理、編集処理、印刷処理を実行することが可能となる。
【００４６】
次に、図６に示す写真シール自動販売機１の制御装置１０の動作を示す処理フロー図と共に、プレイ開始から終了までの動作について説明する。
利用者によって図１に示した貨幣投入口１６ａに硬貨が投入されると、図５に示した制御装置１０は貨幣処理装置１６からプレイ開始信号を受け取り、プレイ（販売処理）を開始する（ステップｎ１）。
【００４７】
制御装置１０は、遮光カーテン開閉装置１９に開閉指示信号を送信してソレノイドをＯＮにし、モニタ１５に「カーテンをしっかりと閉じてください」と表示し、利用者に手動で遮光カーテン２０を閉じさせて閉状態とする（ステップｎ２）。このとき撮像空間３は外界から完全に隔離された状態となり、遮光カーテン２０による反射光も得られる最良の撮像環境となる。
【００４８】
制御装置１０は、デジタルカメラ１３から動画映像の画像データを受信し、該画像データをモニタ１５に対してＲＧＢ信号でリアルタイムに送信してライブビュー表示を実行する（ステップｎ３）。
【００４９】
利用者に前記ライブビュー表示で自己のポーズを確認させた後、利用者によって入力装置１４で撮像開始を指示されると、その入力信号を受けた制御装置１０は、カウントダウンの後、照明装置１２を発光させて被写体を略均一に照明すると共に、デジタルカメラ１３で前記被写体の撮像を実行する（ステップｎ４）。
【００５０】
このとき、照明装置１２による照明光と共に遮光カーテン２０による反射光が得られるため、被写体の正面に対して略均一照明し、側面に対しては間接照明することができる。
【００５１】
撮像した撮像画像を画像データとしてデジタルカメラ１３から受取った制御装置１０は、該画像データをＲＧＢデータとしてモニタ１５に送信し、利用者に撮像画像の確認をさせる（ステップｎ５）。ここで、モニタ１５に撮像画像と共に表示したＮＧボタン（図示省略）が利用者にタッチされると、制御装置１０は該撮像画像を破棄し、ＯＫボタン（図示省略）がタッチされると、落書き編集する画像として残す。
【００５２】
利用者によって所定枚数の撮像画像が残されるか、あるいは所定時間が経過するかによって撮像が終了すると、遮光カーテン開閉装置１９に開閉指示信号を送信してソレノイドをＯＦＦにし、ゴム２０ｄ（図４）の弾性力を利用して遮光カーテン２０を自動で開動作させる（ステップｎ６）。
【００５３】
制御装置１０は、遮光カーテン開閉装置１９から閉信号を受信しているか否かを判定し（ステップｎ７）、閉信号を受信している場合には、スピーカ１１に音声信号を送信し、「カーテンが閉じたままです。係員にお知らせください。」と警報を鳴らす（ステップｎ８）。
【００５４】
これにより、誤動作等の原因で遮光カーテン２０が閉状態のままになることを防止することができ、誰もプレイしていないのにプレイ中に見えて、利用者が順番を待ち続けるといったことを回避できる。また、撮像終了と共に撮像空間３内が外部（外界）から確認できる状態とすることを確実にし、長時間密室状態となることを回避して、悪戯等を行う余地を減少して安全性を確保することができる。
【００５５】
制御装置１０は、利用者に入力装置１４を操作（タッチパネルをタッチペンでタッチ）させ、前記撮像画像に落書き編集させる落書き処理を実行する（ステップｎ９）。
【００５６】
ここで、落書き編集とは、モニタ１５に重ねて設けたタッチパネル（入力装置１４）上の操作を示し、モニタ１５には、落書き用のメニュー画面と前記撮像画像を表示する。利用者は、前記メニュー画面上の操作ボタンを選択し、撮像画像にタッチペンによる落書きを行うことができ、カラーペン、カラースタンプなどのアイテムで撮像画像を画像処理する操作を実行でき、その際、被写体以外の周景（前景又は／及び背景）部分のみに落書き又は画像合成できるクロマキー合成も実行できる。
【００５７】
なお、落書き編集中は残時間（又は経過時間）をモニタ１５に表示していると共に、落書き対象の他の画像をサムネイル画像として小さく表示しており、そのサムネイル画像が利用者にタッチされる事で、落書き編集の対象として大きく表示している編集画像（又は撮像画像）をタッチされたサムネイル画像に入れ替え、利用者の希望する編集画像（又は撮像画像）を落書き編集可能とする。
【００５８】
制御装置１０は、前記編集画像（利用者が編集を行わなかった場合は撮像画像、又は撮像画像と編集画像の両方）をプリンタ１７でシール紙３１ａに印刷し（ステップｎ１０）、作成した写真シールシート３１ｃをシール排出口１７ａから排出し（ステップｎ１１）、処理を終了する。
【００５９】
以上の動作により、スタジオ撮影で使用されるレフ板と同様のレフ面２０ｅを撮像処理時に利用して、反射光を得られると共に外界を写さない最良の撮像環境で撮像し、他の編集処理や印刷処理時は遮光カーテン２０を開放して安全性を確保することができる。
【００６０】
また、遮光カーテン２０を閉じて外界を写さないことで、前述したクロマキー合成の際に被写体以外の不要な周景が写りこむことがなく、周景に対する画像合成を容易かつ高精度で実行することができる。
【００６１】
すなわち、従来の写真シール自動販売機１であれば、図７の写真シール説明図に示すように、出入口に短い丈のカーテン２０’を備えて撮像空間内を確認可能に構成しており、（Ｅ’）のように外界５０も含めて撮像した撮像画像に対して周景の合成処理を実行すると、得られる写真シール３１ｄには（Ｆ’）のように外界５０が残る結果となっていた。
【００６２】
これに対し、前述した実施形態の写真シール自動販売機１によれば、図８の写真シール説明図の（Ｅ）に示すように、遮光カーテン２０のレフ面２０ｅによって外界が写らない撮像画像が得られ、該撮像画像に対して周景の合成処理を実行すると、得られる写真シール３１ｄは（Ｆ）に示すように被写体以外を完全に合成画像に変更した美しい編集結果とすることができる。
【００６３】
次に、第２の実施形態について、図９に示す写真シール自動販売機１の一部拡大図と共に説明する。
図９は、写真シール自動販売機１の撮像空間内から背面方向を見た一部拡大図を示しており、正面には遮光カーテン２０を、左側面には筐体２を備えている。
【００６４】
前記遮光カーテン２０は、カーテンレール２０ａにぶら下げ金具２０ｆで左右移動可能にぶら下げて備え、遮光カーテン２０の左上部におもり付き金具２０ｈを備える。
【００６５】
前記遮光カーテン２０の下部には、前記ぶら下げ金具２０ｆの上下対向位置におもり２０ｇを備えており、遮光カーテン２０が風等でめくれるのを防止している。
【００６６】
カーテンレール２０ａの左側には、第１の実施形態での投光ＬＥＤ１９ｄ及び受光センサ１９ｅに代えて備えた反射型の光電センサ１９ｇと、バネ１９ａ、鉄芯１９ｂ、及びコイル１９ｃで形成する遮光カーテン開閉装置１９を備える。
【００６７】
以上の構成により、閉状態ではソレノイドをＯＮにして鉄芯１９ｂを下方に移動し、該鉄芯１９ｂの下端でおもり付き金具２０ｈの右端を係止する。このとき、光電センサ１９ｇはおもり付き金具２０ｈの存在を検知して閉信号を制御装置１０に送信する。
【００６８】
ソレノイドをＯＦＦにしたときは、鉄芯１９ｂはバネ１９ａで上方へ付勢されて平常状態に戻り、遮光カーテン２０はゴム２０ｄの弾性力で開動作を行う。
なお、他の構成、構造及び動作については、第１の実施形態と同一であるため、その詳細な説明を省略する。
【００６９】
次に、図１０に示す遮光カーテン２０の斜視図と共に、第３の実施形態について説明する。
この実施形態では、先の実施形態の横移動型の遮光カーテン２０に代えて、ロールスクリーンタイプの遮光カーテン２０を使用する。
【００７０】
該遮光カーテン２０は、軸芯１９ｈに巻きつけて撮像空間３（図示省略）への出入口上部に備えており、前記軸芯１９ｈの左端に備えた正逆回転可能なパルスモータ１９ｉで巻き上げ、巻き下ろし制御可能に構成している。
【００７１】
前記軸芯１９ｈには、前記遮光カーテン２０の左右端部におもり１９ｊを巻きつけており、遮光カーテン２０とのバランスを保つように構成している。
また、前記遮光カーテン２０の下端にもおもり１９ｊを備え、風等で遮光カーテン２０がめくれないようにしている。
【００７２】
以上に説明したパルスモータ１９ｉで遮光カーテン開閉装置１９を構成し、制御装置１０の開閉指示信号に従って、パルスモータ１９ｉによる巻き上げ／巻き下ろし動作を実行して遮光カーテン２０を開閉し、撮像空間への出入を許容すると共に撮像環境を良好にする。
この実施形態においても、他の構成、構造及び動作については第１の実施形態と同一であるため、その詳細な説明を省略する。
【００７３】
なお、前記パルスモータ１９ｉを片方向にのみ回転する通常のモータで形成し、閉動作は利用者に遮光カーテン２０を手動で引き下ろさせて実行し、開動作を前記モータの回転力で自動実行するように構成しても良い。
また、遮光カーテン２０の閉状態を検知すべく筐体２の左側面下部に投光ＬＥＤ１９ｄ及び受光センサ１９ｅを備えも良い。
【００７４】
次に、図１１に示す遮光カーテン２０の斜視図と共に、第４の実施形態について説明する。
この実施形態では、前後２つのカーテンレール２０ａにまたがって遮光カーテン２０を吊下げており、該遮光カーテン２０の左端のみを正面側のカーテンレール２０ａから吊下げ、他は全て平面側のカーテンレール２０ａから吊下げる。
【００７５】
前記正面側のカーテンレール２０ａから吊下げる遮光カーテン２０の左上端部は、固定具１９ｌでワイヤ１９ｋに固定する。
該ワイヤ１９ｋは、４つのローラ１９ｍに張架し、該ローラ１９ｍの一つに備えたパルスモータ１９ｉで正逆回転制御される。
【００７６】
以上の構成により、制御装置１０の開閉指示信号によってパルスモータ１９ｉを正回転すると、ワイヤ１９ｋに備えた固定具１９ｌが左方向へ移動して遮光カーテン２０を閉動作し、パルスモータ１９ｉを逆回転すると固定具１９ｌが右方向へ移動して遮光カーテン２０を開動作する。
【００７７】
この実施形態においても、他の構成、構造及び動作については第１の実施形態と同一であるため、その詳細な説明を省略する。
なお、遮光カーテン２０の閉状態を検知すべく筐体２の左側面に投光ＬＥＤ１９ｄ及び受光センサ１９ｅを備えても良い。
【００７８】
また、第３又は第４の実施形態において、編集処理時は、一部のみ開放（例えば第３の実施形態であれば下部のみ開放）するように遮光カーテン２０を開動作し、編集処理終了後、又は、編集処理及び印刷処理終了後に全開放するようにして、編集処理時にもプライベート空間をある程度確保できるように構成しても良い。これにより、編集処理時に利用者は他者の視線等を感じることなく落書き編集ができ、施設の店員は撮像空間内部を監視して安全確保を行うことができる。
【００７９】
また、図６で説明したステップｎ２以降、すなわち遮光カーテン２０を閉動作させた後に、正常に閉状態となっているか否かを確認する閉状態確認処理を追加し、該閉状態確認処理で遮光カーテン開閉装置１９から閉信号が送信されていないと、スピーカ１１で「カーテンが開いています。もう一度確認し、確実に閉めてください。」と警報を鳴らすように設定しても良い。これにより、撮像時に確実に遮光カーテン２０を閉状態にして良好な撮像環境を整えることができ、遮光カーテン２０が正常に閉状態となってないことによる写真シールシート３１ｃの品質低下と顧客満足度の低下を防止することができる。
【００８０】
この発明の構成と、上述の実施形態との対応において、
この発明の写真シール自動販売装置は、実施形態の写真シール自動販売機１に対応し、
以下同様に、
仕切制御手段は、制御装置１０及び遮光カーテン開閉装置１９に対応し、
報知手段は、スピーカ１１に対応し、
撮像手段は、デジタルカメラ１３に対応し、
編集手段は、入力装置１４に対応し、
出力手段は、プリンタ１７に対応し、
検知手段は、受光センサ１９ｅ及び光電センサ１９ｇに対応し、
仕切手段は、遮光カーテン２０に対応するも、
この発明は、上述の実施形態の構成のみに限定されるものではなく、多くの実施の形態を得ることができる。
【図面の簡単な説明】
【図１】写真シール自動販売機の外観を示す斜視図。
【図２】写真シール自動販売機の平面図。
【図３】部分拡大斜視図（一部断面図）。
【図４】遮光カーテン開閉装置の説明図。
【図５】写真シール自動販売機の回路ブロック図。
【図６】写真シール自動販売機の制御装置の動作を示す処理フロー図。
【図７】写真シール説明図。
【図８】写真シール説明図。
【図９】第２の実施形態における写真シール自動販売機の一部拡大図。
【図１０】第３の実施形態における遮光カーテンの斜視図。
【図１１】第４の実施形態における遮光カーテンの斜視図。
【符号の説明】
１…写真シール自動販売機
３…撮像空間
１０…制御手段
１１…スピーカ
１３…デジタルカメラ
１４…入力装置
１７…プリンタ
１８…ＩＤタグリーダ／ライタ
１９…遮光カーテン開閉装置
１９ｅ…受光センサ
１９ｇ…光電センサ
２０…遮光カーテン
３１…シール紙ユニット
３１ａ…シール紙
３１ｂ…ＩＤタグ
３１ｃ…写真シールシート
５０…外界
【図１】
0004514391.tif 000002
【図２】
0004514391.tif 000003
【図３】
0004514391.tif 000004
【図４】
0004514391.tif 000005
【図５】
0004514391.tif 000006
【図６】
0004514391.tif 000007
【図７】
0004514391.tif 000008
【図８】
0004514391.tif 000009
【図９】
0004514391.tif 000010
【図１０】
0004514391.tif 000011
【図１１】
0004514391.tif 000012